Podtech/llm-jp-corpus-v4-ja_patent huggingface dataset:
【手続補正書】
【提出日】平成25年2月4日(2013.2.4)
【手続補正１】
【補正対象書類名】明細書
【補正対象項目名】００２０
【補正方法】変更
【補正の内容】
【００２０】
融点１２０℃以上の低密度ポリエチレン系樹脂の含有量は、２０質量％以上４０質量％以下、好ましくは２５質量％以上３５質量％以下である。
低密度ポリエチレン系樹脂としては、メルトフローレートが３．５ｇ／１０分以上６．５ｇ／１０分以下、好ましくは４ｇ／１０分以上５ｇ／１０分以下のものが用いられる。メルトフローレートが３．５ｇ／１０分より小さくなると、分散状態が損なわれるおそれがある。一方、メルトフローレートが６．５ｇ／１０分より大きくなると、分散状態が損なわれるおそれがあるためである。
そして、低密度ポリエチレン系樹脂として融点が１２０℃より低いものでは、直接加熱方式成形機により加熱板に付着するおそれがある。このため、低密度ポリエチレン系樹脂の融点が１２０℃以上、好ましくは１２０℃以上１３０℃以下である。
また、低密度ポリエチレン系樹脂の含有量が２０質量％より少なくなると、蓋材３との密着性が強くなりすぎ、開封性が悪化するおそれがある。一方、低密度ポリエチレン系樹脂の含有量が４０質量％より多くなると、蓋材３との接着性が大きく変化してしまうおそれがある。
【手続補正２】
【補正対象書類名】明細書
【補正対象項目名】００３０
【補正方法】変更
【補正の内容】
【００３０】
このうち、第一環状シール盤７の外周縁側に形成される傾斜面部７１は、図７に示すように、フランジ部２４の表面に対して内周縁から外周縁に向かって形成されることとなる角度（θ）が、２°以上２０°以下、特に３°以上１５°以下に設定されることが好ましい。なお、この傾斜面部７１の角度は、第一環状シール盤７の巾Ｈによって適宜設定される。
この傾斜面部７１の角度が２°より小さいと、融着時に押圧した場合であっても、図３に示すような樹脂溜まり部６が、シール部２８の外周縁近傍にも形成され易くなり、開封時におけるシール部２８の外側の抵抗が大きくなり、開封を円滑に行うことが困難となるおそれがある。一方、傾斜面部７１の角度が２０°を超えると、境界Ａの周辺がなだらかでなく尖ってしまい、融着時、もしくは開封時に蓋材３が切断されてしまう場合があり、易開封性が損なわれるおそれがある。
【手続補正３】
【補正対象書類名】図面
【補正対象項目名】図３
【補正方法】変更
【補正の内容】
【図３】
2011245777.tif 000001
【手続補正４】
【補正対象書類名】図面
【補正対象項目名】図１０
【補正方法】変更
【補正の内容】
【図１０】
2011245777.tif 000002
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
ポリトリメチレンテレフタレート（Ａ）５０〜９５質量％、及び不飽和ニトリル単量体を含むスチレン系樹脂（Ｂ）５０〜５質量％を含む成形品であって、該成形品の厚みが２．５〜８ｍｍであり、かつ該成形品の（Ａ）と（Ｂ）の分散状態が、表面部分は偏在し内面部分は均一に分散していることを特徴とする、上記成形品。
【請求項２】
請求項１に記載の成形品の製造方法であって、該成形品が射出成形で金型表面温度４０〜７５℃の条件にて得られる、上記製造方法。
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
インクを吐出する吐出口列が形成されている記録ヘッドと、前記記録ヘッドと対向して用紙を支持するプラテンと、前記記録ヘッドを保持して往復移動するキャリッジと、を備えるインクジェット記録装置であって、
前記プラテンは、フチなし記録を行ったときに前記記録ヘッドから吐出されたインクを受ける溝と、前記溝の内部に設けられインクを吸引する吸引穴と、を有し、
前記吸引穴は、前記吐出口列の中心と対向する位置を除く少なくとも１か所に設けられていることを特徴とする、インクジェット記録装置。
【請求項２】
前記中心と対向する位置にも前記吸引穴が設けられ、
前記中心と対向する位置に設けられた前記吸引穴は、他の位置に設けられた前記吸引穴よりも小さいことを特徴とする、請求項１に記載のインクジェット記録装置。
【請求項３】
インクを吐出する吐出口列が形成されている記録ヘッドと、前記記録ヘッドと対向して用紙を支持するプラテンと、前記記録ヘッドを保持して往復移動するキャリッジと、を備えるインクジェット記録装置であって、
前記プラテンは、フチなし記録を行ったときに前記記録ヘッドから吐出されたインクを受ける溝と、前記溝の内部に設けられインクを吸引する吸引穴と、を有し、
前記吸引穴は、前記吐出口列の長さよりも長いスリット穴であり、前記スリット穴のスリット幅が、前記吐出口列の配列方向において、前記吐出口列の中心に対向する位置よりも他の位置のほうが大きくなるように形成されていることを特徴とするインクジェット記録装置。
【手続補正２】
【補正対象書類名】明細書
【補正対象項目名】００１０
【補正方法】変更
【補正の内容】
【００１０】
上述した目的を達成するため、本発明に係るインクジェット記録装置は、インクを吐出する吐出口列が形成されている記録ヘッドと、記録ヘッドと対向して用紙を支持するプラテンと、記録ヘッドを保持して往復移動するキャリッジと、を備える。プラテンは、フチなし記録を行ったときに記録ヘッドから吐出されたインクを受ける溝と、溝の内部に設けられインクを吸引する吸引穴と、を有する。吸引穴は、吐出口列の中心と対向する位置を除く少なくとも１か所に設けられている。
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
光源からの光を対物レンズを介して被検眼に照明する照明光学系を有する眼科装置に着脱可能であり、赤外領域に感度を持つ撮像手段を有する撮像装置であって、
前記撮像手段を用いて赤外光で前記被検眼を撮像可能な状態で当該撮像装置が前記眼科装置に設置されている場合に、当該撮像装置の機能を制御する制御手段を有することを特徴とする撮像装置。
【請求項２】
前記制御手段は、前記撮像手段を用いて赤外光で前記被検眼を撮像可能な状態で当該撮像装置が前記眼科装置に設置されている場合に、当該撮像装置による所定の撮影ができない状態を解除するように、当該撮像装置の機能を制御することを特徴とする請求項１に記載の撮像装置。
【請求項３】
前記制御手段は、前記撮像手段を用いて赤外光で前記被検眼を撮像可能な状態で当該撮像装置が前記眼科装置に設置されていない場合に、前記撮像手段により撮像された画像データに対して所定の画像処理を実行するように、当該撮像装置の機能を制御することを特徴とする請求項１あるいは２に記載の撮像装置。
【請求項４】
前記制御手段は、前記撮像手段を用いて赤外光で前記被検眼を撮像可能な状態で当該撮像装置が前記眼科装置に設置されている場合に、前記撮像手段により撮像された画像データに対して前記所定の画像処理を実行しないように、当該撮像装置の機能を制御することを特徴とする請求項３に記載の撮像装置。
【請求項５】
前記制御手段は、前記撮像手段を用いて赤外光で前記被検眼を撮像可能な状態で当該撮像装置が前記眼科装置に設置され且つ所定の撮影条件の変更が行われた場合に、当該撮像装置の所定の操作部材による操作を禁止し且つ該所定の撮影条件の設定が終了すると該操作の禁止を解除するように、当該撮像装置の機能を制御することを特徴とする請求項１乃至４の何れか１項に記載の撮像装置。
【請求項６】
前記被検眼からの反射光束を当該撮像装置に入射させるための撮像光学系と当該撮像装置との接続状態に応じて、前記撮像手段を用いて赤外光で前記被検眼を撮像可能な状態で当該撮像装置が前記眼科装置に設置されているか否かを判定する判定手段を更に有することを特徴とする請求項１乃至５の何れか１項に記載の撮像装置。
【請求項７】
所定の部材と、
前記所定の部材が他の部材に対して所定の位置に配置されているか否かを判定する判定手段と、を更に有し、
前記判定手段は、前記所定の部材が他の部材に対して所定の位置に配置されていると判定した場合に、前記撮像手段を用いて赤外光で前記被検眼を撮像可能な状態で当該撮像装置が前記眼科装置に設置されていると判定することを特徴とする請求項１乃至５の何れか１項に記載の撮像装置。
【請求項８】
前記撮像装置は、デジタルカメラであることを特徴とする請求項１乃至７の何れか１項に記載の撮像装置。
【請求項９】
コンピュータを、請求項１乃至８の何れか１項に記載の撮像装置の各手段として実行させることを特徴とするプログラム。
【請求項１０】
光源からの光を対物レンズを介して被検眼に照明する照明光学系を有する眼科装置に着脱可能であり、赤外領域に感度を持つ撮像手段を有する撮像装置の制御方法であって、
前記撮像手段を用いて赤外光で前記被検眼を撮像可能な状態で当該撮像装置が前記眼科装置に設置されている場合に、当該撮像装置の機能を制御する工程を有することを特徴とする撮像装置の制御方法。
【請求項１１】
前記制御する工程において、前記撮像手段を用いて赤外光で前記被検眼を撮像可能な状態で当該撮像装置が前記眼科装置に設置されている場合に、当該撮像装置による所定の撮影ができない状態を解除するように、当該撮像装置の機能を制御することを特徴とする請求項１０に記載の撮像装置の制御方法。
【請求項１２】
請求項１０又は１１に記載の撮像装置の制御方法の工程をコンピュータに実行させるためのプログラム。
【請求項１３】
光源からの光を対物レンズを介して被検眼に照明する照明光学系を有する眼科装置と、
前記眼科装置に着脱可能であり、赤外領域に感度を持つ撮像手段を有する撮像装置と、
前記撮像手段を用いて赤外光で前記被検眼を撮像可能な状態で当該撮像装置が前記眼科装置に設置されている場合に、当該撮像装置の機能を制御する制御装置と、
を有することを特徴とする眼科システム。
【請求項１４】
前記制御装置は、前記撮像手段を用いて赤外光で前記被検眼を撮像可能な状態で当該撮像装置が前記眼科装置に設置されている場合に、当該撮像装置による所定の撮影ができない状態を解除するように、当該撮像装置の機能を制御することを特徴とする請求項１３に記載の眼科システム。
【請求項１５】
前記撮像装置が、第１の部材を有し、
前記眼科装置が、第２の部材を有し、
前記制御装置が、前記第１及び第２の部材が所定の位置に配置されている場合に、前記撮像手段を用いて赤外光で前記被検眼を撮像可能な状態で前記撮像装置が前記眼科装置に設置されていると判定する判定手段を更に有することを特徴とする請求項１３あるいは１４に記載の眼科システム。
【請求項１６】
光源からの光を対物レンズを介して被検眼に照明する照明光学系を有し、赤外領域に感度を持つ撮像手段を有する撮像装置を着脱可能な眼科装置であって、
前記撮像装置が有する第１の部材に対して所定の位置に配置可能な第２の部材と、
前記第１及び第２の部材が所定の位置に配置されている場合に、当該撮像装置の機能を制御する制御手段と、
を有することを特徴とする眼科装置。
【請求項１７】
前記第１及び第２の部材が所定の位置に配置されている場合に、前記撮像手段を用いて赤外光で前記被検眼を撮像可能な状態で前記撮像装置が前記眼科装置に設置されていると判定する判定手段を更に有することを特徴とする請求項１６に記載の眼科装置。
【請求項１８】
前記制御手段は、前記第１及び第２の部材が所定の位置に配置されている場合に、当該撮像装置による所定の撮影ができない状態を解除するように、当該撮像装置の機能を制御することを特徴とする請求項１６あるいは１７に記載の眼科装置。
【請求項１９】
コンピュータを、請求項１６乃至１８の何れか１項に記載の眼科装置の各手段として実行させることを特徴とするプログラム。
【手続補正２】
【補正対象書類名】明細書
【補正対象項目名】０００８
【補正方法】変更
【補正の内容】
【０００８】
本発明の撮像装置は、光源からの光を対物レンズを介して被検眼に照明する照明光学系を有する眼科装置に着脱可能であり、赤外領域に感度を持つ撮像手段を有する撮像装置であって、前記撮像手段を用いて赤外光で前記被検眼を撮像可能な状態で当該撮像装置が前記眼科装置に設置されている場合に、当該撮像装置の機能を制御する制御手段を有することを特徴とする。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
大当り遊技終了後に確率変動状態を付与可能な遊技機において、
図柄変動ゲームの始動条件を付与する始動口への入球時に大当り判定用乱数の値を取得する乱数取得手段と、
前記図柄変動ゲームの開始時に、前記乱数取得手段が取得した大当り判定用乱数の値と大当り判定値を比較し、大当りか否かの大当り抽選を行う大当り抽選手段と、
前記乱数取得手段による前記大当り判定用乱数の取得時であって、その取得した大当り判定用乱数の値を用いる大当り抽選の実行時期よりも前に、前記乱数取得手段が取得した大当り判定用乱数の値を判定する判定処理を実行する判定手段と、
前記判定処理の判定結果をもとに所定の演出を実行させる演出実行手段と、を備え、
前記大当り判定値には、前記確率変動状態が付与されていない非確率変動状態時の大当り抽選で用いる非確変用判定値と前記確率変動状態時の大当り抽選で用いる確変用判定値を含み、
前記判定手段は、前記判定処理の実行時に前記確率変動状態が付与されているか否かに拘わらず、前記大当り判定用乱数の値が前記非確変用判定値と一致するか否かの第１の判定と、前記大当り判定用乱数の値が前記確変用判定値と一致するか否かの第２の判定と、を前記判定処理の判定内容とし、
前記演出実行手段は、前記第２の判定が肯定判定された場合であって、その判定結果が肯定となる大当り判定用乱数の値に基づく図柄変動ゲームが前記確率変動状態中に実行されるときには当該ゲームの開始前に前記第２の判定の判定結果にしたがって前記演出を実行させることを特徴とする遊技機。
【請求項２】
前記演出実行手段は、大当り遊技の開始から終了までの間に定めた所定時期に到達した時点で、保留中の図柄変動ゲームに対応する大当り判定用乱数の値に基づく前記第２の判定が肯定判定されている場合に前記演出を実行させることを特徴とする請求項１に記載の遊技機。
【請求項３】
前記大当り遊技は、当該大当り遊技中に入球が許容される大入賞口を開放させる複数回のラウンド遊技から構成されており、
前記演出実行手段は、前記所定時期として定めた最終回のラウンド遊技の終了時点で前記第２の判定が肯定判定されている場合に、前記大当り遊技の終了後、最初の図柄変動ゲームが開始するまでの間に前記演出を実行させることを特徴とする請求項２に記載の遊技機。
【手続補正２】
【補正対象書類名】明細書
【補正対象項目名】０００１
【補正方法】変更
【補正の内容】
【０００１】
本発明は、始動口への入球時に取得した大当り判定用乱数の値が大当り抽選に当選する値であるか否かを判定し、その判定結果に応じて演出を実行する遊技機に関する。
【手続補正３】
【補正対象書類名】明細書
【補正対象項目名】０００８
【補正方法】変更
【補正の内容】
【０００８】
この発明は、このような従来の技術に存在する問題点に着目してなされたものであり、その目的は、始動口への入球時における判定に基づく演出の出現率を向上させることにより、当該演出に対する興趣の向上を図ることができる遊技機を提供することにある。
【手続補正４】
【補正対象書類名】明細書
【補正対象項目名】０００９
【補正方法】変更
【補正の内容】
【０００９】
上記問題点を解決するために、請求項１に記載の発明は、大当り遊技終了後に確率変動状態を付与可能な遊技機において、図柄変動ゲームの始動条件を付与する始動口への入球時に大当り判定用乱数の値を取得する乱数取得手段と、前記図柄変動ゲームの開始時に、前記乱数取得手段が取得した大当り判定用乱数の値と大当り判定値を比較し、大当りか否かの大当り抽選を行う大当り抽選手段と、前記乱数取得手段による前記大当り判定用乱数の取得時であって、その取得した大当り判定用乱数の値を用いる大当り抽選の実行時期よりも前に、前記乱数取得手段が取得した大当り判定用乱数の値を判定する判定処理を実行する判定手段と、前記判定処理の判定結果をもとに所定の演出を実行させる演出実行手段と、を備え、前記大当り判定値には、前記確率変動状態が付与されていない非確率変動状態時の大当り抽選で用いる非確変用判定値と前記確率変動状態時の大当り抽選で用いる確変用判定値を含み、前記判定手段は、前記判定処理の実行時に前記確率変動状態が付与されているか否かに拘わらず、前記大当り判定用乱数の値が前記非確変用判定値と一致するか否かの第１の判定と、前記大当り判定用乱数の値が前記確変用判定値と一致するか否かの第２の判定と、を前記判定処理の判定内容とし、前記演出実行手段は、前記第２の判定が肯定判定された場合であって、その判定結果が肯定となる大当り判定用乱数の値に基づく図柄変動ゲームが前記確率変動状態中に実行されるときには当該ゲームの開始前に前記第２の判定の判定結果にしたがって前記演出を実行させることを要旨とする。
【手続補正５】
【補正対象書類名】明細書
【補正対象項目名】００１０
【補正方法】変更
【補正の内容】
【００１０】
請求項２に記載の発明は、請求項１に記載の遊技機において、前記演出実行手段は、大当り遊技の開始から終了までの間に定めた所定時期に到達した時点で、保留中の図柄変動ゲームに対応する大当り判定用乱数の値に基づく前記第２の判定が肯定判定されている場合に前記演出を実行させることを要旨とする。
【手続補正６】
【補正対象書類名】明細書
【補正対象項目名】００１１
【補正方法】変更
【補正の内容】
【００１１】
請求項３に記載の発明は、請求項２に記載の遊技機において、前記大当り遊技は、当該大当り遊技中に入球が許容される大入賞口を開放させる複数回のラウンド遊技から構成されており、前記演出実行手段は、前記所定時期として定めた最終回のラウンド遊技の終了時点で前記第２の判定が肯定判定されている場合に、前記大当り遊技の終了後、最初の図柄変動ゲームが開始するまでの間に前記演出を実行させることを要旨とする。
【手続補正７】
【補正対象書類名】明細書
【補正対象項目名】００１２
【補正方法】変更
【補正の内容】
【００１２】
本発明によれば、始動口への入球時における判定に基づく演出の出現率を向上させることにより、当該演出に対する興趣の向上を図ることができる。
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
板状の緩降機本体と、
前記緩降機本体の板面に凹設され、降下用長尺材を摩擦抵抗下に挿通するために、
少なくとも一部が蛇行状に延びる挿通溝と、
を有することを特徴とする緩降機。
【請求項２】
前記蛇行状に延びる挿通溝が、
１８０度以上の中心角を有する少なくとも一つの円弧状の第１挿通溝部と、
前記第１挿通溝部の一端に第１連設溝部を介して連設された円弧状の第２挿通溝部と、
前記第１挿通溝部の他端に第２連設溝部を介して連設された円弧状の第３挿通溝部とを含む、
ことを特徴とする請求項１記載の緩降機。
【請求項３】
前記降下用長尺材との摩擦力を調節するために、前記第１連設溝部及び前記第２連設溝部の少なくとも一方の溝幅を調節可能な溝幅調節機構を有することを特徴とする請求項１又は請求項２記載の緩降機。
【請求項４】
平ベルトからなる降下用長尺材を更に備える、請求項１乃至３の何れかに記載の緩降機。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
被検眼の観察時に可視光線を発する観察可視光源と、被検眼の観察時に赤外光線を発する観察赤外光源と、被検眼の静止画像の撮影記録時に可視光線を発する撮影可視光源とを有する複数の光源からの光線を前記被検眼に対して照明する照明光学系と、
前記被検眼からの反射光を撮影光学系を介して受光して、前記被検眼の眼底画像を取得する撮像手段と、
前記複数の光源を選択的に切り替えて点灯させる光源制御手段と、
前記複数の光源各々に対応した画像パラメータのセットを用いて、前記撮像手段により取得された前記被検眼の眼底画像に対して画像処理を実施する画像生成手段と
を具備することを特徴とする眼底撮像装置。
【請求項２】
前記被検眼を観察及び撮影記録する際のモードを設定するモード設定手段
を更に具備し、
前記複数の光源各々に対応した画像パラメータのセットは、前記モード毎に設けられており、
前記画像生成手段は、
前記光源制御手段により点灯される光源と前記モード設定手段により設定されたモードとに応じた画像パラメータのセットを用いて画像処理を実施する
ことを特徴とする請求項１に記載の眼底撮像装置。
【請求項３】
前記被検眼を観察及び撮影記録する際のモードを設定するモード設定手段
を更に具備し、
前記観察可視光源と前記撮影可視光源とのそれぞれに対応する前記画像パラメータのセットは、前記モード毎に設けられており、前記観察赤外光源に対応する前記画像パラメータのセットは、前記モードに依らず共通の画像パラメータのセットが設けられており、
前記画像生成手段は、
前記観察可視光源又は前記撮影可視光源が点灯されている場合には、点灯されている光源と前記モードとに応じた画像パラメータのセットを用いて画像処理を実施し、前記観察可視光源が点灯されている場合には、当該観察可視光源に対応した画像パラメータのセットを用いて画像処理を実施する
ことを特徴とする請求項１または２に記載の眼底撮像装置。
【請求項４】
前記被検眼の眼底画像は、静止画像又は動画像のいずれかで撮影記録され、
前記光源制御手段は、
前記静止画像を撮影記録する場合には前記撮影可視光源を点灯させ、前記動画像を撮影記録する場合には前記観察可視光源を点灯させ、
前記画像生成手段は、
前記静止画像が撮影記録される場合には、前記撮影可視光源に対応する画像パラメータのセットを用いて画像処理を実施し、前記動画像が撮影記録される場合には、前記観察可視光源に対応した画像パラメータのセットを用いて画像処理を実施する
ことを特徴とする請求項１乃至３のいずれか１項に記載の眼底撮像装置。
【請求項５】
前記被検眼の眼底画像は、静止画像又は動画像のいずれかで撮影記録され、
前記光源制御手段は、
前記静止画像を撮影記録する場合には前記撮影可視光源を点灯させ、前記動画像を撮影記録する場合には前記観察可視光源を点灯させ、
前記観察可視光源に対応した画像パラメータのセットは、観察用と撮影記録用とがそれぞれ設けられており、
前記画像生成手段は、
観察時に前記観察可視光源が点灯されている場合には、前記観察可視光源に対応する観察用の画像パラメータのセットを用いて画像処理を実施し、撮影記録時に前記観察可視光源が点灯されて動画像が撮影記録される場合には、前記観察可視光源に対応する撮影記録用の画像パラメータのセットを用いて画像処理を実施する
ことを特徴とする請求項１乃至３のいずれか１項に記載の眼底撮像装置。
【請求項６】
前記画像生成手段により画像処理された前記眼底画像を表示する表示手段
を更に具備することを特徴とする請求項１乃至５のいずれか１項に記載の眼底撮像装置。
【請求項７】
被検眼の観察時に可視光線を発する観察可視光源と、被検眼の観察時に赤外光線を発する観察赤外光源と、被検眼の静止画像の撮影記録時に可視光線を発する撮影可視光源とを有する複数の光源からの光線を前記被検眼に対して照明する照明光学系と、前記被検眼からの反射光を撮影光学系を介して受光して、前記被検眼の眼底画像を取得する撮像手段とを具備する眼底撮像装置の処理方法であって、
光源制御手段が、前記複数の光源を選択的に切り替えて点灯させる工程と、
画像生成手段が、前記複数の光源各々に対応した画像パラメータのセットを用いて、前記撮像手段により取得された前記被検眼の眼底画像に対して画像処理を実施する工程と
を含むことを特徴とする処理方法。
【手続補正２】
【補正対象書類名】明細書
【補正対象項目名】００１０
【補正方法】変更
【補正の内容】
【００１０】
上記課題を解決するため、本発明の一態様による眼底撮像装置は、被検眼の観察時に可視光線を発する観察可視光源と、被検眼の観察時に赤外光線を発する観察赤外光源と、被検眼の静止画像の撮影記録時に可視光線を発する撮影可視光源とを有する複数の光源からの光線を前記被検眼に対して照明する照明光学系と、
前記被検眼からの反射光を撮影光学系を介して受光して、前記被検眼の眼底画像を取得する撮像手段と、
前記複数の光源を選択的に切り替えて点灯させる光源制御手段と、
前記複数の光源各々に対応した画像パラメータのセットを用いて、前記撮像手段により取得された前記被検眼の眼底画像に対して画像処理を実施する画像生成手段とを具備する。
【手続補正書】
【提出日】平成25年3月22日(2013.3.22)
【手続補正１】
【補正対象書類名】特許請求の範囲
【補正対象項目名】請求項１
【補正方法】変更
【補正の内容】
【請求項１】
車両外部に搭載される車載カメラの撮影面にウォッシャ液を供給し、該撮影面に付着した異物を除去するための車載カメラ用ウォッシャノズルであって、
内部に導入された前記ウォッシャ液を噴射する内部噴射孔と、吐出口及び前記吐出口と前記内部噴射孔とを連通する流路を有する吐出部とを備え、前記内部噴射孔から噴射された前記ウォッシャ液を前記吐出部内の流路に溜めつつ前記吐出口から前記車載カメラの撮影面に沿うように吐出させてその撮影面上の洗浄を行うように構成されたことを特徴とする車載カメラ用ウォッシャノズル。
【手続補正２】
【補正対象書類名】明細書
【補正対象項目名】０００８
【補正方法】変更
【補正の内容】
【０００８】
上記課題を解決するために、請求項１に記載の発明は、車両外部に搭載される車載カメラの撮影面にウォッシャ液を供給し、該撮影面に付着した異物を除去するための車載カメラ用ウォッシャノズルであって、内部に導入された前記ウォッシャ液を噴射する内部噴射孔と、吐出口及び前記吐出口と前記内部噴射孔とを連通する流路を有する吐出部とを備え、前記内部噴射孔から噴射された前記ウォッシャ液を前記吐出部内の流路に溜めつつ前記吐出口から前記車載カメラの撮影面に沿うように吐出させてその撮影面上の洗浄を行うように構成されたことをその要旨とする。
【手続補正３】
【補正対象書類名】明細書
【補正対象項目名】０００９
【補正方法】変更
【補正の内容】
【０００９】
この発明では、内部噴射孔と、吐出口及び前記吐出口と前記内部噴射孔とを連通する流路を有する吐出部とを備えてノズルが構成され、内部噴射孔から噴射されたウォッシャ液を吐出部内の流路に溜めつつ吐出口から車載カメラの撮影面に沿うように吐出させてその撮影面上の洗浄が行われる。つまり、ウォッシャ液の吐出を撮影面に沿わせることで、ウォッシャ液の吐出部の突出形状が小さく抑えられるとともに、内部噴射孔での噴射にて流速が高められたウォッシャ液が吐出部内の流路にて車載カメラの撮影面（洗浄対象部分）の洗浄に好適な吐出形状に変換されることで、その撮影面の好適な洗浄が可能となる。
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
所定の始動口への遊技球の入賞に基づき、大当たり遊技発生の有無に係る特別図柄の変動表示を実行するとともに、その変動表示に伴って、大当たり遊技発生の可能性を示唆する演出が実行される場合がある弾球遊技機であって、
前記始動口への入賞に対し当該入賞に係る当たり判定乱数を保留可能な当たり判定乱数保留手段を備え、
当たり判定乱数が前記当たり判定乱数保留手段に保留されている場合に限り、複数回の変動表示にわたって前記複数回のうちの最終回の変動表示に係る大当たり遊技発生の可能性を示唆する演出が開始され、
大当たり遊技発生に係る大当たり判定乱数が前記当たり判定乱数保留手段に保留されており複数回の変動表示にわたって前記最終回の変動表示に係る大当たり遊技発生の可能性を示唆する演出が実行される場合、前記複数回の変動表示のうち大当たり遊技発生に係る当たり判定乱数に対応した変動表示以外の変動表示に係る演出ではハズレの演出を行い、複数回の変動表示にわたって実行される前記最終回の変動表示に係る大当たり遊技発生の可能性を示唆する演出を前記大当たり遊技発生に係る当たり判定乱数に対応した変動表示において終了させることを特徴とする弾球遊技機。
【手続補正２】
【補正対象書類名】明細書
【補正対象項目名】０００２
【補正方法】変更
【補正の内容】
【０００２】
従来、弾球遊技機においては、所定の条件が満たされることにより、通常の遊技と比べ大きな利益が遊技者にもたらされる可能性の高いいわゆる「大当たり遊技」が発生するのが通常である。この所定の条件には様々なものがあるが、最も一般的なのが、所定の始動口への入賞を契機に、液晶画面等に表示される図柄が変動を開始し、それが停止した際に、所定の図柄が表示された場合に、この大当たり遊技が発生する、というものである。この変動を経て停止する図柄を特別図柄と称する。特別図柄は、通常３桁の数字等から構成され、各桁ごとに順次停止することで、大当たり遊技発生に対する興趣を高めることとなっている。また、３桁の図柄のうち２桁が停止した段階で残りの１桁の図柄次第では、大当たり遊技の発生に係る特別図柄となるようないわゆる「リーチ」の場合には、図柄の変動に伴って、図柄とは別に大当たり遊技の発生に対する期待感を向上させるような映像を演出として表示することがある。
【手続補正３】
【補正対象書類名】明細書
【補正対象項目名】０００４
【補正方法】変更
【補正の内容】
【０００４】
上記のような演出は、特別図柄の変動表示が１回終了する間に完結することとなっている。そこで、本発明は、複数回の変動表示にわたって行う演出を、保留球を有している場合にのみ可能とすることで、演出が円滑に実行され、遊技に対する興趣を増すことを目的とする。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
（本発明）
上記の課題に鑑み、本発明は、所定の始動口への遊技球の入賞に基づき、大当たり遊技発生の有無に係る特別図柄の変動表示を実行するとともに、その変動表示に伴って、大当たり遊技発生の可能性を示唆する演出が実行される場合がある弾球遊技機であって、前記始動口への入賞に対し当該入賞に係る当たり判定乱数を保留可能な当たり判定乱数保留手段を備え、当たり判定乱数が前記当たり判定乱数保留手段に保留されている場合に限り、複数回の変動表示にわたって前記複数回のうちの最終回の変動表示に係る大当たり遊技発生の可能性を示唆する演出が開始され、大当たり遊技発生に係る大当たり判定乱数が前記当たり判定乱数保留手段に保留されており複数回の変動表示にわたって前記最終回の変動表示に係る大当たり遊技発生の可能性を示唆する演出が実行される場合、前記複数回の変動表示のうち大当たり遊技発生に係る当たり判定乱数に対応した変動表示以外の変動表示に係る演出ではハズレの演出を行い、複数回の変動表示にわたって実行される前記最終回の変動表示に係る大当たり遊技発生の可能性を示唆する演出を前記大当たり遊技発生に係る当たり判定乱数に対応した変動表示において終了させることを特徴とする。
【手続補正７】
【補正対象書類名】明細書
【補正対象項目名】００４４
【補正方法】変更
【補正の内容】
【００４４】
上記の構成により、本発明は以下に記す効果を奏する。
すなわち、本発明の説明によると、複数回の変動表示にわたって行う演出を、保留球を有している場合にのみ可能とすることで、演出が円滑に実行され、遊技に対する興趣を増すことが可能となる。
【手続補正８】
【補正対象書類名】明細書
【補正対象項目名】００４５
【補正方法】削除
【補正の内容】
【手続補正９】
【補正対象書類名】明細書
【補正対象項目名】００４６
【補正方法】削除
【補正の内容】
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
放射線治療中に患者を支持するよう構成された半円筒形の患者支持シェルに取り付けるための器具であって、
前記支持シェルと一列に並ぶとともに前記支持シェルから縦方向に延びるように、前記支持シェルの近位端に取り付けられるよう構成されたポット取付具を備え、
前記ポット取付具は、上部リップ及び下部リップを有する延伸トラック係合端部を有し、
前記上部リップを前記下部リップとの間の間隙は、延伸トラックの内径と外径との間の距離におおよそ等しい、器具。
【請求項２】
前記取付具は、横方向に凹の上面に対して実質的に垂直に延びる実質的に平面の壁を有するエンドストップを有する、請求項１に記載の器具。
【請求項３】
前記取付具は、遠位端において面取りされた面を有する、請求項１に記載の器具。
【請求項４】
放射線治療中に患者に使用される支持シェルに取り付けるための器具であって、
患者の少なくとも一部を支持する手段と、
半円筒形の前記支持シェルの延伸トラックに係合する手段であって、前記支持する手段の近位端に配置され、上部リップ及び下部リップを有する前記係合する手段と、
を備え、
前記上部リップを前記下部リップとの間の間隙は、延伸トラックの内径と外径との間の距離におおよそ等しい、器具。
【請求項５】
前記支持する手段の遠位端に取り付けられ、前記支持する手段に対して実質的に垂直に延びる実質的に平面の壁を有するエンドストップをさらに備える、請求項４に記載の器具。
【請求項６】
実質的に平面且つ面取りされたエンドストップをさらに備える、請求項４に記載の器具。
【請求項７】
前記エンドストップは、前記半円筒形の支持シェルの近位延伸トラックと遠位延伸トラックとの間に延びる仮想された縦軸に対しておよそ４５度の角度で面取りされている、請求項６に記載の器具。
【請求項８】
前記支持する手段は、患者の頭部を片持ち支持するよう構成された、縦方向に延び概ね平らな取付具を有する、請求項４に記載の器具。
【請求項９】
前記支持する手段は、患者の脚部を片持ち支持するよう構成された、縦方向に延び概ね半円筒形の取付具を有する、請求項４に記載の器具。
【請求項１０】
前記支持する手段は、縦方向に延び平らな取付具を有しており、
前記取付具は、ヘッドレスト領域及び固定装置取付領域を有し、患者の頭部を片持ち支持する、請求項４に記載の器具。
【請求項１１】
前記支持する手段は、患者が顔を配置することができる顔の通し穴を画定するとともに、縦方向に延びる伏臥位ヘッドレストを有する、請求項４に記載の器具。
【請求項１２】
治療材料を含む、請求項４に記載の器具。
【請求項１３】
炭素繊維を含む、請求項１２に記載の器具。
【請求項１４】
前記上部リップ及び前記下部リップは、前記係合する手段が前記支持シェルと係合するときに前記延伸トラックの直線状に配置された開口と整列するよう構成された、直線状に配置された複数の開口を有する、請求項４に記載の器具。
【請求項１５】
前記支持する手段は、治療セクション及び複数の治療端を有する、請求項４に記載の器具。
【請求項１６】
前記支持する手段は、未治療セクション及び複数の未治療端を有する、請求項４に記載の器具。
【請求項１７】
前記未治療セクションは、頭蓋環固定取り付けに適合している、請求項１６に記載の器具。
【請求項１８】
放射線治療中に患者を定位置に効率よく固定し、且つ前記定位置に患者を再位置決めするためのモジュール式患者支持システムであって、
縦方向に延びる支持シェルであってシェル近位端からシェル縦中心部を経てシェル遠位端に延びる前記支持シェル、上方に延びる第１の側縁、及び上方に延びる第２の側縁を有するモジュール式患者ポッドと、
シェル近位端に接続された近位延伸トラックと、
シェル遠位端に接続された遠位延伸トラックと、
を備え、
前記第１及び第２の側縁の少なくとも一方は、第１のテーパー端、及び縦方向に延びる第１のレールを有し、
前記縦方向に延びる第１のレールは、前記第１のテーパー端の形状に補足的な第１のレール下位部、及び丸みを付けられた第１のレール上位部を有するとともに、第１の低密度材料を含む、支持システム。
【請求項１９】
前記第１の側縁は、放射線治療中に当該第１の側縁を横断する放射線ビームに関連するエッジ効果を緩和する手段をさらに有する、請求項１８に記載の支持システム。
【請求項２０】
前記患者ポッドは、前記シェルの下面に取り付けられた位置決めポッドコネクタ、及び第１の固定装置をさらに有する、請求項１８に記載の支持システム。
【請求項２１】
治療プロトコールに従った放射線治療中に患者を片持ち支持するためのモジュール式患者ポッドであって、
上方に延びる第１の側縁及び上方に延びる第２の側縁を有するとともに、シェル近位端からシェル縦中心部を経てシェル遠位端に延びる支持シェルと、
シェル近位端に接続された近位延伸トラックと、
シェル遠位端に接続された遠位延伸トラックと、
を備え、
前記第１及び第２の側縁の少なくとも一方は、第１のテーパー端、及び縦方向に延びる第１のレールを有し、
前記縦方向に延びる第１のレールは、前記第１のテーパー端の形状に補足的な第１のレール下位部、及び丸みを付けられた第１のレール上位部を有するとともに、第１の低密度材料を含む、モジュール式患者ポッド。
【請求項２２】
前記第１の側縁は、放射線治療中に当該第１の側縁を横断する放射線ビームに関連するエッジ効果を緩和する手段をさらに有する、請求項２１に記載のモジュール式患者ポッド。
【請求項２３】
前記シェルの下面に取り付けられた位置決めポッドコネクタ、及び第１の固定装置をさらに備える、請求項２１に記載のモジュール式患者ポッド。
【請求項２４】
放射線治療中に患者を定位置に効率よく固定し、且つ前記定位置に患者を再位置決めするためのモジュール式患者支持システムであって、
縦方向に延びる支持シェルであってシェル近位端からシェル縦中心部を経てシェル遠位端に延びる前記支持シェル、上方に延びる第１の側縁、及び上方に延びる第２の側縁を有するモジュール式患者ポッドと、
シェル近位端に接続された近位延伸トラックと、
シェル遠位端に接続された遠位延伸トラックと、
を備え、
前記上方に延びる第１の側縁は、放射線治療中に当該第１の側縁を横断する放射線ビームに関連するエッジ効果を緩和する手段を有する、支持システム。
【請求項２５】
前記第１の側縁は、第１のテーパー端、及び縦方向に延びる第１のレールを有し、
前記縦方向に延びる第１のレールは、前記第１のテーパー端の形状に補足的な第１のレール下位部、及び丸みを付けられた第１のレール上位部を有するとともに、第１の低密度材料を含む、請求項２４に記載の支持システム。
【請求項２６】
前記モジュール式患者ポッドは、前記シェルの下面に取り付けられた位置決めポッドコネクタ、及び第１の固定装置をさらに備える、請求項２４に記載の支持システム。
【手続補正書】
【提出日】平成25年10月9日(2013.10.9)
【手続補正１】
【補正対象書類名】特許請求の範囲
【補正対象項目名】請求項８
【補正方法】変更
【補正の内容】
【請求項８】
前記処理液循環機構は、前記処理液供給機構により前記貯液槽から吸引された使用済み処理液の一部を当該貯液層に戻す配管径路を有する請求項１乃至７記載の浄化装置。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
画像データに基づく第１範囲の階調レベルの多値データを入力する第１入力手段と、
メンテナンス用パターンに対して第１範囲とは異なる第２範囲の階調レベルを割当てた多値データを入力する第２入力手段と、
前記第１範囲の各階調レベルの多値データに対応する複数のドットパターンを特定するための第１情報を第１領域に保持すると共に、前記第２範囲の階調レベルの多値データに対応させた１以上のドットパターンを特定するための第２情報を第２領域に保持する保持手段と、
前記保持手段が保持する前記第１情報又は前記第２情報に基づいて、前記第１入力手段により入力した多値データ又は前記第２入力手段により入力した多値データに対応するドットパターンを取得する取得手段と、
を備えることを特徴とする画像処理装置。
【請求項２】
前記ドットパターンを記録する位置情報を特定する特定手段をさらに備え、
前記取得手段は、前記第１入力手段により入力した多値データに対応するドットパターンを取得する場合、前記保持手段が保持する前記第１情報及び前記特定手段により特定した位置情報に基づいて、前記第１入力手段により入力した多値データに対応するドットパターンを取得することを特徴とする請求項１に記載の画像処理装置。
【請求項３】
前記第１情報が特定するドットパターン及び第２情報が特定するドットパターンはそれぞれ、１つの多値データから複数のドットデータを生成するためのパターンであることを特徴とする請求項１又は２に記載の画像処理装置。
【請求項４】
前記ドットパターンは、複数の記録素子列により記録を行う際に用いられるものであり、
前記保持手段が保持する第１情報及び第２情報はそれぞれ、各階調レベルに対応するドットパターン及び当該ドットパターンを各記録素子列のいずれに割当てるかを特定する情報であることを特徴とする請求項１〜３のいずれか１項に記載の画像処理装置。
【請求項５】
前記第２範囲の階調レベルに対応するドットパターンは、前記複数の記録素子列のうちいずれかの記録素子列に割当てるドットパターンであることを特徴とする請求項１〜４のいずれか１項に記載の画像処理装置。
【請求項６】
前記複数の記録素子列は１つの色成分の記録に用いるものであることを特徴とする請求項１〜５のいずれか１項に記載の画像処理装置。
【請求項７】
前記取得手段により取得したドットパターンに対応したドットデータを生成する生成手段をさらに備えることを特徴とする請求項１〜６のいずれか１項に記載の画像処理装置。
【請求項８】
前記生成手段により生成したドットデータを格納するバッファをさらに備えることを特徴とする請求項７に記載の画像処理装置。
【請求項９】
前記生成手段により生成したドットデータを用いて記録を行う記録ヘッドを備えることを特徴とする請求項７又は８に記載の画像処理装置。
【請求項１０】
画像データに基づく第１範囲の階調レベルの多値データを入力し、
メンテナンス用パターンに対して第１範囲とは異なる第２範囲の階調レベルを割当てた多値データを入力し、
前記第１範囲の各階調レベルの多値データに対応する複数のドットパターンを特定するための第１情報を第１領域に保持すると共に、前記第２範囲の階調レベルの多値データに対応させた１以上のドットパターンを特定するための第２情報を第２領域に保持し、
前記第１領域に保持される第１情報又は前記第２領域に保持される前記第２情報に基づいて、前記第１入力手段により入力した多値データ又は前記第２入力手段により入力した多値データに対応するドットパターンを取得することを特徴とする画像処理装置。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、多値データからドットデータを生成する画像処理装置及び画像処理方法に関するものである。
【手続補正４】
【補正対象書類名】明細書
【補正対象項目名】０００５
【補正方法】変更
【補正の内容】
【０００５】
本発明の目的は、上記課題を解決するために、簡単な構成で、画像領域の間にテスト印刷や予備吐出のデータ生成を実行できる画像処理装置及び画像処理方法を提供することにある。
【手続補正５】
【補正対象書類名】明細書
【補正対象項目名】０００６
【補正方法】変更
【補正の内容】
【０００６】
上記課題を解決するための、本発明の画像処理装置は、画像データに基づく第１範囲の階調レベルの多値データを入力する第１入力手段と、メンテナンス用パターンに対して第１範囲とは異なる第２範囲の階調レベルを割当てた多値データを入力する第２入力手段と、前記第１範囲の各階調レベルの多値データに対応する複数のドットパターンを特定するための第１情報を第１領域に保持すると共に、前記第２範囲の階調レベルの多値データに対応させた１以上のドットパターンを特定するための第２情報を第２領域に保持する保持手段と、前記保持手段が保持する前記第１情報又は前記第２情報に基づいて、前記第１入力手段により入力した多値データ又は前記第２入力手段により入力した多値データに対応するドットパターンを取得する取得手段と、を備えることを特徴とする。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
空気をろ過するエアフィルタと、
前記エアフィルタを保持してループ形状のフィルタ枠と、
円筒面が略円周方向に傾斜したブラシ毛を有するブラシで形成された除塵ローラと、
前記ブラシ毛が捕集した塵埃を除去する塵埃除去部と、
前記エアフィルタに対応する位置に円筒形状は弾性部を有し、前記フィルタ枠を保持し回転することで前記フィルタ枠をループ方向に搬送する第１の搬送軸と
前記第１の搬送軸とともに前記フィルタ枠を保持する第２の搬送軸と
を備え、
前記除塵ローラは前記第１の搬送軸とともに前記エアフィルタを挟むように配置され、
前記フィルタ枠は、前記第１の搬送軸の軸方向であって前記弾性部の外側にベルト部を有し、
前記第１の搬送軸の回転力は、前記ベルト部に伝達されるフィルタ掃除機構。
【請求項２】
前記第１の搬送軸の回転力は、前記除塵ローラの軸に伝達され、
前記除塵ローラは、伝達された前記回転力により従動する請求項１に記載のフィルタ掃除機構。
【請求項３】
前記第１の搬送軸は、ギアを有し、
前記ベルトはラック構造を有し、
前記ギアが前記ラック構造にかみ合う請求項１に記載のフィルタ掃除機構。
【請求項４】
前記第１の搬送軸と前記除塵ローラとはギアで連結される請求項２に記載のフィルタ掃除機構。
【請求項５】
前記エアフィルタに対する前記ブラシ毛の移動方向が前記ブラシ毛の逆目方向であり、
前記塵埃除去部に対しする前記ブラシ毛の移動方向が前記ブラシ毛の準目方向である請求項１から４のいずれか１項に記載のフィルタ掃除機構。
【請求項６】
前記フィルタ枠の搬送速度が前記除塵ローラの外周面の速度より大きい請求項１から５のいずれか１項に記載のフィルタ掃除機構。
【請求項７】
前記塵埃除去部は先端がブラシ毛に接触する板材である請求項１から６のいずれか１項に記載のフィルタ掃除機構。
【請求項８】
前記弾性部は、前記第１の搬送軸の半径方向を取り囲み前記第１の搬送軸に対して半径方向に移動する筒部及び前記第１の搬送軸と筒部との間に配置された弾性体を有する請求項１から７のいずれか１項に記載のフィルタ掃除機構。
【請求項９】
前記弾性体は板バネである請求項８に記載のフィルタ掃除機構。
【請求項１０】
前記弾性部は、クッション材で形成されている請求項１から７のいずれか１項に記載のフィルタ掃除機構。
【請求項１１】
請求項１から１０のいずれか１項に記載のフィルタ掃除機構を有するフィルタユニット。
【請求項１２】
請求項１１に記載のフィルタユニットを備える光学ユニット。
【請求項１３】
請求項１１に記載のフィルタユニットまたは請求項１２に記載の光学ユニットを備える投写型映像表示装置。
【手続補正２】
【補正対象書類名】明細書
【補正対象項目名】０００９
【補正方法】変更
【補正の内容】
【０００９】
この発明に係るフィルタ掃除機構は、空気をろ過するエアフィルタと、前記エアフィルタを保持してループ形状のフィルタ枠と、円筒面が略円周方向に傾斜したブラシ毛を有するブラシで形成された除塵ローラと、前記ブラシ毛が捕集した塵埃を除去する塵埃除去部と、前記エアフィルタに対応する位置に円筒形状は弾性部を有し、前記フィルタ枠を保持し回転することで前記フィルタ枠をループ方向に搬送する第１の搬送軸と前記第１の搬送軸とともに前記フィルタ枠を保持する第２の搬送軸とを備え、前記除塵ローラは前記第１の搬送軸とともに前記エアフィルタを挟むように配置され、前記フィルタ枠は、前記第１の搬送軸の軸方向であって前記弾性部の外側にベルト部を有し、前記第１の搬送軸の回転力は、前記ベルト部に伝達されるものである。
【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
第１の基板の一方の面上に第１の層を形成し、
前記第１の層上に、第１の有機化合物を含む第２の層と第２の有機化合物を含む第３の層とを形成し、
前記第１の基板の一方の面と、少なくとも第１の電極と第２の電極とを有する第２の基板の被成膜面とを対向させ、
前記第１の基板の他方の面側から光を前記第１の層に照射し、前記第１の層から前記第２の層と前記第３の層とを分離させ、前記第１の電極上に前記第２の層と、前記第２の電極上に前記第３の層とを形成し、
前記第２の層上に第３の電極と、前記第３の層上に第４の電極とを形成し、
前記第１の層は、クロム、タングステン、スズ、ニッケル、チタン、コバルト、亜鉛、金、銅、モリブデン、鉛から選ばれたいずれか一の金属、前記金属の酸化物、前記金属の硫化物、前記金属の窒化物、又は、カーボンブラック、黒鉛、若しくは赤外線染料を含む高分子樹脂を有することを特徴とする発光装置の作製方法。
【請求項２】
光透過性を有するフィルムの一方の面上に第１の層を形成し、
前記第１の層上に、第１の有機化合物を含む第２の層と第２の有機化合物を含む第３の層とを形成し、
前記フィルムの一方の面と、少なくとも第１の電極と第２の電極とを有する第２の基板の被成膜面とを対向させ、
前記第１の基板の他方の面側から光を前記第１の層に照射し、前記第１の層から前記第２の層と前記第３の層とを分離させ、前記第１の電極上に前記第２の層と、前記第２の電極上に前記第３の層とを形成し、
前記第２の層上に第３の電極と、前記第３の層上に第４の電極とを形成し、
前記第１の層は、クロム、タングステン、スズ、ニッケル、チタン、コバルト、亜鉛、金、銅、モリブデン、鉛から選ばれたいずれか一の金属、前記金属の酸化物、前記金属の硫化物、前記金属の窒化物、又は、カーボンブラック、黒鉛、若しくは赤外線染料を含む高分子樹脂を有することを特徴とする発光装置の作製方法。
【請求項３】
請求項１又は２において、
前記光の照射により、前記第１の層と前記第２の層との間の密着性と、前記第１の層と前記第３の層との間の密着性とを低下させて、前記第１の層から前記第２の層と前記第３の層とを分離させることを特徴とする発光装置の作製方法。
【請求項４】
請求項３において、
前記光の照射により、前記第１の層を膨張させ、前記第１の層と前記第２の層との間の密着性と、前記第１の層と前記第３の層との間の密着性とを低下させることを特徴とする発光装置の作製方法。
【請求項５】
請求項１乃至４のいずれか一において、
前記第１の層上に第１の隔壁を有し、
前記第２の基板上において、前記第１の電極と前記第２の電極との間に第２の隔壁を有し、
前記第１の隔壁と前記第２の隔壁とが少なくとも一部接した状態で前記光を照射することを特徴とする発光装置の作製方法。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
発注システムから送信された商品の識別子に応じて受注システムを複数から選択し当該選択した受注システムに前記商品の注文情報を送信すると共に、前記発注システムから送信された画像又は前記発注システムにおいて選択された画像を前記商品に付加するために前記選択した受注システムに送信する仲介システムを備えた画像付加商品の取引システムにおいて、
前記仲介システムは、商品の代金支払い済みを表す固有のアクセスコードを当該商品の購入者の個人情報に関連付けて記憶手段に予め登録し、
前記発注システムは、前記商品の注文の際に通常は商品購入者に商品代金の決済を求めるが、前記アクセスコードが入力された場合は、当該入力されたアクセスコードを前記仲介システムに照会し、当該仲介システムにおいて一致するアクセスコードが登録されていた場合、前記商品代金の決済を求めずに前記商品の注文情報を前記仲介システムに送信し、
前記仲介システムは、前記発注システムから送信された商品の識別子と前記記憶手段に予め登録された前記一致するアクセスコードに関連付けられた個人情報とを含む注文情報を前記選択した受注システムに送信する、
画像付加商品の取引システム。
【請求項２】
発注システムから送信された商品の識別子に応じて受注システムを複数から選択し当該選択した受注システムに前記商品の注文情報を送信すると共に、前記発注システムから送信された画像又は前記発注システムにおいて選択された画像を前記商品に付加するために前記選択した受注システムに送信する仲介システムを備えた画像付加商品の取引システムにおいて、
前記仲介システムは、商品の代金支払い済みを表す固有のアクセスコードを当該商品の購入者の個人情報に関連付けて記憶手段に予め登録し、
前記発注システムは、前記商品の注文の際に通常は商品購入者に商品代金の決済を求めるが、前記アクセスコードが入力された場合は、当該入力されたアクセスコードを前記仲介システムに照会し、当該仲介システムにおいて一致するアクセスコードが登録されていた場合、前記商品代金の決済を求めずに前記商品の注文情報を前記仲介システムに送信し、
前記仲介システムは、前記発注システムから送信された商品の識別子と前記記憶手段に予め登録された前記一致するアクセスコードに関連付けられた個人情報とを含む注文情報を前記選択した受注システムに送信する、
画像付加商品の取引方法。